(57)【要約】  長さ調整可能なポータルセーバーに取り外し可能に取り付けられる真皮固定装置を備えたポータルセーバーアセンブリ。ポータルセーバーアセンブリは、ねじ山を有する剛直な近位端を有する管状体ならびに、外側リッジおよびねじ山を有する内部穴を有する近位調整体を含む。管状体の剛直な近位端上のねじ山は、近位調整体の内部穴上のねじ山と嵌合するように構成される。ポータルセーバーアセンブリはまた、中央穴および中央穴の周りのロック機構を備えた皮真皮固定装置を含む。近位調整体の外側リッジは、ロック機構によって中央穴内に取り外し可能に取り付けられる。【選択図】図１
2022502191.tif 000002
【特許請求の範囲】
【請求項１】
ポータルセーバー装置であって、
二つの丸み付きセクションと、ねじ山を有する剛直な近位端との間に平坦なセクションを有する管状体、
ねじ山を有する内部穴を有する近位調整体、備え、
前記管状体の前記剛直な近位端上の前記ねじ山が、前記近位調整体の前記内部穴上の前記ねじ山と嵌合するように構成され、
第一の構成では、前記平坦なセクションが、前記近位調整体から第一の距離であり、
第二の構成では、前記平坦なセクションが、前記近位調整体から第二の距離である、ポータルセーバー装置。
【請求項２】
前記近位調整体から半径方向に延在する調整ホイールをさらに備える、請求項１に記載の装置。
【請求項３】
前記調整ホイールが、第一の方向および反対の第二の方向に回転可能である、請求項２に記載の装置。
【請求項４】
前記調整ホイールを前記第一の方向に回転させると、前記平坦なセクションが前記近位調整体から離れるように移動する、請求項３に記載の装置。
【請求項５】
前記調整ホイールを前記第二の方向に回転させると、前記平坦なセクションが前記近位調整体に向かって移動する、請求項３に記載の装置。
【請求項６】
前記第二の距離が、前記第一の距離とは異なる、請求項１に記載の装置。
【請求項７】
前記第二の距離が、前記第一の距離よりも短い、請求項６に記載の装置。
【請求項８】
ポータルセーバーアセンブリであって、
ねじ山を有する剛直な近位端を有する管状体、
外側リッジおよびねじ山を有する内部穴を有する近位調整体、を備え、
前記管状体の前記剛直な近位端上の前記ねじ山が、前記近位調整体の前記内部穴上の前記ねじ山と嵌合するように構成され、
中央穴および前記中央穴の周りのロック機構を備える真皮固定装置、を備え
前記近位調整体の外側リッジが、前記ロック機構によって前記中央穴内に取り外し可能に取り付けられる、ポータルセーバーアセンブリ。
【請求項９】
前記ロック機構がばねクリップである、請求項８に記載のアセンブリ。
【請求項１０】
前記ばねクリップが、互いに向かって、および互いから離れるように移動可能な第一のアームおよび第二のアームを備える、請求項９に記載のアセンブリ。
【請求項１１】
前記ばねクリップが、前記真皮固定装置の外部の露出部分および前記真皮固定装置内の非露出部分を含む、請求項９に記載のアセンブリ。
【請求項１２】
前記露出部分が、前記真皮固定装置に向かって移動可能である、請求項１１に記載のアセンブリ。
【請求項１３】
前記露出部分を前記真皮固定装置に向かって押すことによって、前記ばねクリップが開く、請求項１２に記載のアセンブリ。
【請求項１４】
前記管状体が、二つの丸み付きセクションの間に平坦なセクションを含む、請求項８に記載のアセンブリ。
【請求項１５】
第一の構成では、前記平坦なセクションが、前記近位調整体から第一の距離である、請求項１４に記載のアセンブリ。
【請求項１６】
第二の構成では、前記平坦なセクションが、前記近位調整体から第二の距離である、請求項１５に記載のアセンブリ。
【請求項１７】
前記近位調整体から半径方向に延在する調整ホイールをさらに備え、前記調整ホイールが、第一の方向および反対の第二の方向に回転可能である、請求項１４に記載のアセンブリ。
【請求項１８】
前記調整ホイールを前記第一の方向に回転させることによって、前記平坦なセクションを前記近位調整体から離れる方向に移動させ、前記調整ホイールを前記反対の第二の方向に回転させることによって、前記平坦なセクションを前記近位調整体に向かって移動させる、請求項１７に記載のアセンブリ。
【請求項１９】
前記真皮固定装置から遠位に延在する一つまたは複数のペタルをさらに備える、請求項８に記載のアセンブリ。
【請求項２０】
第一の構成では、前記ペタルが前記管状体の長さに沿って延在する、請求項１９に記載のアセンブリ。
【請求項２１】
第二の構成では、前記ペタルが前記管状体の前記長さに対してある角度で延在する、請求項１９に記載のアセンブリ。
【請求項２２】
前記管状体が、熱可塑性ウレタン（ＴＰＵ）から構成される、請求項８に記載のアセンブリ。
【請求項２３】
前記第二の距離が、前記第一の距離とは異なる、請求項１６に記載の装置。
【請求項２４】
前記第二の距離が、前記第一の距離よりも短い、請求項２３に記載の装置。
【発明の詳細な説明】
【技術分野】
【０００１】
関連出願の相互参照
本明細書は、２０１８年１０月４日に出願された、「Ｒｅｖａｂｌｅ，Ａｄｊｕｓｔａｂｌｅ−Ｌｅｎｇｔｈ，Ｓｎａｐ−ｉｎ Ｐｏｒｔａｌ  Ｓａｖｅｒ，Ｄｅｃｕｐｌｅｄ  Ｆｒｏｍ  Ｄｅｒｍａｌ  Ｆｉｘａｔｉｏｎ」と題される、米国仮特許出願第６２／７４０，９９２号、ならびに２０１８年１０月５日に出願された、「Ｒｅｍｏｖａｂｌｅ，Ａｄｊｕｓｔａｂｌｅ−Ｌｅｎｇｔｈ  Ｓｎａｐ−ｉｎ  Ｐｏｒｔａｌ  Ｓａｖｅｒ，Ｄｅｃｏｕｐｌｅｄ  Ｆｒｏｍ  Ｄｅｒｍａｌ  Ｆｉｘａｔｉｏｎ」と題される、米国仮特許出願第６２／７４１，８０６号に対する優先件を主張する。
【０００２】
発明の分野
本発明は、概して、ポータルセーバー装置、より具体的には、長さ調整可能なポータルセーバーに取り外し可能に取り付けられた真皮固定装置を有するポータルセーバーアセンブリを対象とする。
【背景技術】
【０００３】
関連技術の説明
関節鏡関節内腰関節アクセスを維持するため、従来は、一連のアクセスツール（切換スティック、溝付きのカニューレ、使い捨てカニューレ、など）を頻繁に使用して、器具の挿入および取り外し作業を患者に対して行っている。外科医がアクセスツールを使用する時間は、手技時間の大きな割合を占める。アクセスツールの使用に費やしている間は、外科医は患者の病理に関わる実際の作業を何も実施していない。
【０００４】
関節鏡外科手術分野における共通のアクセスツールは、「カニューレ」である。カニューレを使用して、患者の身体の外側から身体の内側の、関節鏡手技が実施される位置まで、開いたポータルを維持する。このカニューレが身体の内側に留まり、この経路を維持し、外れたり、外側にずれたり、または内側にさらにずれないことが重要である。これは、今日では多くの方法で達成されており、カニューレの外側に攻撃性のあるねじ山を配置して、真皮層およびその下の組織に穴をあける（またはドリルする）ことによって達成されることが最も多い。このためには、こうしたねじ山を受容するための、サイズの大きな切開部が必要となり、結果としてそれに相当するサイズの傷をもたらすことになる。
【０００５】
現在のカニューレはほとんどが、カニューレ自体の管状体の外部にある、機械的ねじ山を使用する。これらのカニューレの一部は、剛直な管状体、または実質的に半径方向の動きのない剛直なボディを有する。現行のカニューレの一部には、より可撓性の高いものもあるが、依然として、広範囲の器具を収容できるほどの可撓性を欠く。従来のカニューレはさらに、手術部位から流体が漏れるのを防ぐための流体シールを近位端に有する。一部のカニューレは、管状体のサイズをカスタマイズするために、管状体に沿ってインジケータを有する。これらのカニューレは、オブチュレータを用いてねじ込まれることが多い。
【０００６】
あるいは、またはさらに、バーブを有するカニューレもあり、こうしたカニューレは、身体の中に進む間の少しの振動回転の恩恵を受けつつ、手術部位に真っ直ぐ挿入されうる。さらに、カニューレは折り畳まれたアコーディオンの様な部材を使用し、延伸してその直径を減少させ、圧縮してその直径を増加させることができる。ただし、これらの従来のカニューレはいずれも、剛直なボディが皮下で大きく移動できないため、小さな切開部を通した挿入およびその後の除去が可能とならない。さらに、これらの従来的カニューレのいずれも、切開部位を取り囲む領域にサイズの小さな切創をもたらすことができず、外傷を最小化させることもできない。さらに、従来のカニューレはいずれも、幅広い動きや自由をもたらすことができない。
【０００７】
従来的なカニューレ挿入中に、真皮固定を達成し、真皮固定手段を挿入することは、多くの場合、真皮固定構造を患者の中へと誘導を試みる間に、大きな力強い動きおよび捻じれる動きを伴い得る。これが行われている間に、ポータルセーバーが真皮固定に取り付けられる場合、患者の奥深くの構造にリスクをもたらすような方法で、ポータルセーバー自体の遠位端が動き回る可能性がある。また、手術中、より短い作業長にトリミングするなど、ポータルセーバーを取り外すことが必要となり得る。または、ポータルセーバーをより長いポータルセーバーに置き換える必要もあり得る。
【０００８】
したがって、長さ調整可能なポータルセーバーに取り外し可能に取り付けられる真皮固定装置を備えるポータルセーバーアセンブリに対するニーズが存在する。
【０００９】
関連技術の説明の項の免責条項：特定の特許／刊行物／製品がこの関連技術の説明の項またはこの開示の他の場所で考察されている限り、これらの考察は考察された特許／刊行物／製品が特許法の目的のための先行技術であるという承認として捉えるべきではない。例えば、考察された特許／刊行物／製品の一部または全ては、十分早期でない場合があり、十分早期に開発された主題を反映していない場合があり、かつ／または特許法の目的のために先行技術に相当するほど、十分に授権するものではない場合がある。特定の特許／刊行物／製品が、この関連技術の説明の項および／または出願全体を通して上記で考察されている限り、その記載／開示はそのそれぞれの全体が参照により全て本明細書に組み込まれる。
【発明の概要】
【００１０】
本発明の実施形態は、長さ調整可能なポータルセーバーに取り外し可能に取り付けられた真皮固定装置を備えるポータルセーバーアセンブリを対象とする。一態様によれば、本発明はポータルセーバー装置である。ポータルセーバー装置は、二つの丸み付きセクションと、ねじ山を有する剛直な近位端との間に平坦なセクションを有する管状体を含む。装置はまた、ねじ山を有する内部穴を有する近位調整体を含む。管状体の剛直な近位端上のねじ山は、近位調整体の内部穴上のねじ山と嵌合するように構成される。第一の構成では、平坦なセクションは、近位調整体から第一の距離である。第二の構成では、平坦なセクションは、近位調整体から第二の距離であり、第二の距離は第一の距離よりも小さい。
【００１１】
別の態様によれば、本発明はポータルセーバーアセンブリである。ポータルセーバーアセンブリは、ねじ山を有する剛直な近位端を有する管状体ならびに、外側リッジおよびねじ山を有する内部穴を有する近位調整体を含む。管状体の剛直な近位端上のねじ山は、近位調整体の内部穴上のねじ山と嵌合するように構成される。ポータルセーバーアセンブリはまた、中央穴および中央穴の周りのロック機構を備えた皮真皮固定装置を含む。近位調整体の外側リッジは、ロック機構によって中央穴内に取り外し可能に取り付けられる。
【００１２】
本発明のこれらおよび他の態様は、以下に記載される実施形態を参照して明らかになり、解明されるであろう。
【図面の簡単な説明】
【００１３】
本発明の一つまたは複数の態様は、本明細書の最後に特許請求の範囲の例として具体的に指摘され、明確に特許請求される。本発明の前述の、および他の目的、特徴、ならびに利点は、添付図面と併せて取り上げられる以下の記載から明らかである。
【００１４】
【図１】図１は、一実施形態による、例示的ポータルセーバーアセンブリの斜視図である。
【図２】図２は、一実施形態による、ポータルセーバーアセンブリの分解斜視概略図である。
【図３】図３は、一実施形態による、ポータルセーバーアセンブリの部分的分解斜視概略図である。
【図４】図４は、一実施形態による、ポータルセーバーアセンブリの近位真皮固定装置の詳細な側部断面概略図である。
【図５】図５は、一実施形態による、第一の構成にあるポータルセーバーアセンブリの上面斜視概略図である。
【図６】図６は、一実施形態による、第二の構成にあるポータルセーバーアセンブリの上面斜視概略図である。
【図７】図７は、一実施形態による、第二の構成にあるポータルセーバーアセンブリの斜視概略図である。
【図８】図８は、一実施形態による、第二の構成にあるポータルセーバーアセンブリの別の斜視概略図である。
【図９】図９は、一実施形態による、ポータルセーバーアセンブリの近位真皮固定装置の詳細な上面斜視概略図である。
【図１０】図１０は、一実施形態による、拡張位置にあるポータルセーバーアセンブリの側面概略図である。
【図１１】図１１は、一実施形態による、収縮位置にあるポータルセーバーアセンブリの側面概略図である。
【発明を実施するための形態】
【００１５】
本発明の態様およびその特定の特徴、利点、ならびに詳細は、添付図面に図示した非限定的な例を参照しながらより完全に以下に説明される。本発明の詳細を不必要に不明瞭にしないよう、周知の構造の説明は省略される。しかし、当然のことながら、詳細な説明および特定の非限定的な例は、本発明の態様を示すものであるが、例示のみの目的で与えられ、限定の目的ではない。基礎となる発明の概念の趣旨および／または範囲内での様々な置換、修正、追加、および／または配置は、本開示から当業者には明らかであろう。
【００１６】
ここで図面を参照すると、同様の参照番号が全体を通して同様の部分を指しており、図１は、例示的なポータルセーバーアセンブリ２００の斜視図を示す。概して、ポータルセーバーおよびオブチュレータアセンブリ２００は、身体の外側（例えば、皮膚）から手術部位（例えば、関節）までの経路を維持し、それによって、外科医は、（従来の装置では９つのステップまたは行動であるのに対し）二つのステップまたは行動で、器具を一つのポータルから別のポータルを動かすことができる。ポータルセーバーおよびオブチュレータアセンブリ２００は、典型的には、ポータルセーバーアセンブリ２０４に取り外し可能に取り付けられるように構成された近位ハンドピース２０２を含む。ポータルセーバーアセンブリ２０４は、近位真皮固定装置２０８から延在する遠位管状（またはカニューレ状）体２０６を備える。本発明の実施形態の目的は、図１に示す近位真皮固定装置２０８が管状体２０６から分離することを可能にすると同時に、管状体２０６の長さを調節する機構を提供することである。
【００１７】
管状体２０６は、好ましくは可撓性である。熱可塑性ウレタン（以下、「ＴＰＵ」）から構成され得る。ＴＰＵは、ブロックコポリマーを含む熱可塑性エラストマーである。具体的には、ＴＰＵは、当業者によって理解されるように、直線状の交互のハードセグメントおよびソフトセグメントを備える。ハードセグメントは、短鎖ジオール（すなわち、「鎖延長部」）を有するジイソシアネートで構成され、それらを短い、高極性のセグメントにする。ソフトセグメントは、長鎖ジオールを有するジイソシアネートで構成され、それらを長い、低極性セグメントにする。
【００１８】
ＴＰＵの剛性は、ソフトセグメントに対するハードセグメントの比率を増加または減少させることによって微調整することができる。ＴＰＵは、高機械的特性、高耐熱性、高鉱油耐性、高加水分解性、温度に対する柔軟性、微生物分解に対する高耐性、および硬度範囲全体にわたる高弾性を有する。ＴＰＵは、本開示のレビューと併せて、当業者によって理解されるべきであるように、標準的な大気条件下で、３０ショアＡから６０ショアＤの硬度を有する。ＴＰＵの一例はエラストマラン（登録商標）である。ＴＰＵの別の例は、Ｇｒｅｃｏ製のイソタン等級５０９０Ａである。
【００１９】
ＴＰＵは、管状体２０６のための組成物として使用するための、多くの利点をもたらす。一実施形態では、管状体２０６は、押出成形を介して形成され、操作された後、その形状を保持することができる押出成形ＴＰＵ組成物である。これは従来のカニューレよりも可撓性があって、より薄く、様々なねじれのある、およびもつれた構成中に移動させることができる。管状体２０６の可撓性および弾力性は、それがまるで経皮的に動作しているかのように、外科医により良好な動作範囲をもたらす。管状体２０６は、どこでも自由に動くことができ、真皮に固定された、近位真皮固定装置２０８によって使用中制限されるのみである。ＴＰＵはまた、シェーバーブレイドやバーなどの、鋭利な器具による切れやその他の損傷に対して耐性がある。さらに、簡潔に上述された耐熱性の高品質ＴＰＵによって、管状体２０６の変形やその他の損傷を伴わずに、切除器具を通過させることができる。
【００２０】
代替的な実施形態では、管状体２０６の長さに沿って一つまたは複数のシールがある。シールは、管状体２０６の長手方向軸に沿って互いに傾いているか、または垂直（つまり、管状体２０６の長さに対してほぼ平行）であり得る。他の実施形態では、管状体２０６は、オブチュレータ２０４のサイズをカスタマイズするためのその長さに沿ったインジケータを含む。
【００２１】
ここで図２を参照すると、一実施形態による、ポータルセーバーアセンブリ２００のオブチュレータ２０４の分解斜視概略図が示される。示されるように、ポータルセーバーアセンブリ２０４の管状体２０６は、その間に平坦なセクション２１０を有する二つの丸いセクション２１１を有する。平坦な（または狭い）セクション２１０は、シールとして作用し、熱形成プロセスを通して構築され得る。平坦なセクション２１０はヒートシールされて、管状体２０６を平坦にする。平坦なセクション２１０は、シームを有する溶接された平坦なシート材料の代替物として使用され得る。一部の状況では、管状体２０６の平坦なセクション２１０は、溶接されたシームを備えた管状体２０６にかかる圧縮力が高い摩擦を生み出し、管状体２０６内で器具を捕捉しがちであるため、溶接されたシームであることが好ましい。これは、ポータルから器具を偶発的に引き抜くことにつながり、外科医の五感の感触に、特徴（すなわち、音）を追加することができる。平坦なセクション２１０は、それ自体と管状体２０６を貫通する器具との間にシールを形成する。よって、管状体２０６は、器具の周りにきつく巻かれている。器具が除去された後、平坦なセクション２１０（すなわち、熱プレスまたはシールされた部分）は、平坦な形状に戻る。平坦なセクション２１０はまた、切開部位からの流体が管状体２０６から漏れ出ることを防止する。平坦な領域２１０は、管状体２０６に沿ってどこにでも位置することができる。平坦な領域２１０は、管状体２０６の近位端と遠位端との間に、管状体２０６の近位端の近くに、または管状体２０６の遠位端の近くに直接位置し得る。例えば、平坦な領域２１０が管状体２０６の近位端の近くに位置する状況では、最大限の長さの調整可能性のために外科医がトリミングできるサイズの範囲を増大させるように、平坦な領域２１０に対して遠位に位置するさらなる管状体２０６がある。
【００２２】
さらに図２を参照すると、管状体２０６は、調整体２３４から遠位に延在し、調整体２３４は、近位真皮固定装置２０８に取り外し可能に接続するように構成される。管状体２０６は、剛直な近位端２３６を含む。剛直な近位端２３６は、管状体２０６の非可撓性の導入部分である。剛直な近位端２３６は、管状体２０６と調整体２３４との間の安全で安定な接続を提供するよう機能する。剛直な近位端２３６は、調整体２３４に取り付けるためのねじ山２３８を含む。ねじ山付き、剛直な遠位端２３６はまた、以下で詳細に説明するように、管状体２０６を伸縮させるための長さ調整機構としての役割を果たす。
【００２３】
図２に示すように、調整体２３４は、螺刻された内部穴２４０を含む。螺刻された内部穴２４０は、その近位端２４２からその遠位端２４４まで、調整体２３４全体を貫通する。調整体２３４はまた、そこから放射状に延在する調整ホイール２４８を有する外表面２４６を含む。調整ホイール２４８は、調整体２３４の周囲全体に延在する。調整ホイール２４８は、ユーザのグリップを改善するために、そこから半径方向に延在する突起２５０（または類似の突起／リッジ）を有し得、長さ調整の手順中に使用され得る。調整体２３４は、図２に示す通り、その周囲全体の周りに延在するリッジ２５２をさらに含む。リッジ２５２は、調整体２３４から半径方向に延在する。図示の実施形態では、リッジ２５２は、調整ホイール２４８に対して遠位にある。
【００２４】
ここで図３を参照すると、一実施形態による、ポータルセーバーのポータルセーバーアセンブリ２０４とオブチュレータアセンブリ２００の部分的分解斜視概略図が示される。図３に示すように、調整体２３４は、管状体２０６に接続される。管状体２０６の剛直な近位端２３６およびねじ山２３８（図２）は、調整体２３４の遠位端２４４から螺刻された内部穴２４０に螺合され、調整可能な長さのポータルセーバー装置２５４を形成する。上述のように、ポータルセーバー装置２５４は、真皮固定装置２０８に取り外し可能に接続され得る。
【００２５】
簡潔に図２を参照すると、調整体２３４の近位端２４２は、真皮固定装置２０８に取り外し可能に取り付けられ得る。真皮固定装置２０８は、それを貫通する中央穴２１４を有するボディ２１２（例えば、長方形体）を含む。図４の例示的な実施形態に示すように、中央穴２１４は、回転部分２１６および非回転部分２１８を貫通する。回転部分２１６および非回転部分２１８は、図１に示す通り、ハンドピース２０２の管状（またはカニューレ状）ロッド２２０への真皮固定装置２０８の取り付けを微調整するように、連動して機能するように構成される。（ポータルセーバー装置２５４とは別に）真皮固定装置２０８を挿入および配置するために、ハンドピース２０２を真皮固定装置２０８に一時的に接続し得る。
【００２６】
回転部分２１６は、中央開口部２１４から延びるねじ山付きチャネル２２２などの可動メスコネクタである。非回転部分２１８は、ねじ山チャネル２２２内に接続された、ねじ山のない（または比較的滑らかな）チャネル２２４である。ねじ山のないチャネル２２２はまた、示すように、平坦なセクション２１０付近で管状体２０６に接続される。真皮固定装置２０８がハンドピース２０２に取り付けられるとき、回転部分２１６および非回転部分２１８は管状ロッド２２０を受容し、ねじ山付きチャネル２２２が管状体２２０の周りで締まるように、回転部分２１６が回転する。使用時に、器具は、管状ロッド２２０内に近位に挿入され、管状体２０６を通過し得る。
【００２７】
ここで図５を参照すると、一実施形態による、第一の構成にあるオブチュレータ２０４の上面斜視図が示される。真皮固定装置２０８は、真皮固定装置２０８のボディ２１２内から遠位に延在する一つまたは複数のペタル２２８を含む（図４にまた示される）。ペタル２２８は、ボディ２１２のアクチュエータ２３０を使用して、第一の構成から第二の構成へと移動可能である。図４および図５に示すように、ペタル２２８は、管状体２０６に対して閉鎖した、第一の構成にある。図示した実施形態では、ペタル２２８は、第一の構成にある管状体２０６の長さ方向に平行な方向に延在する。ペタル２２８が第一の構成にある場合、図示の通り、アクチュエータ２３０は第一の位置にある。一実施形態では、第一の位置はロック解除位置であり、ペタル２２８は、患者へ挿入するために、管状体２０６とほぼ同一平面にある。
【００２８】
ここで図６〜８を参照すると、ペタル２２８は第二の構成にある。ペタル２２８を第二の構成に移動させるためには、アクチュエータ２３０を起動する。図示した実施形態では、アクチュエータ２３０は回転されるか、または別の方法で第二の位置に移動される。（アクチュエータ２３０の第一の位置および第二の位置は、図６に示すように、２１２のインジケータ２３２によって表示されうる）。ペタル２２８が第二の構成にある場合、図示するように、それらは拡張され、管状体２０６に対して傾斜して延在する。第二の構成では、ペタル２２８は、ポータルセーバーアセンブリ２０４を患者内に保持する機能を果たす。
【００２９】
図９は、一実施形態による、ポータルセーバーアセンブリ２０４の近位真皮固定装置２０８  の上面斜視概略図である。図２および図１１の近位真皮固定装置２０８は、それを貫通する中央穴２１４を含む。中央穴２１４は、調整体２３４のリッジ２５２受容するように構成される（図２）。一実施形態では、調整体２３４のリッジ２５２は、中央穴２１４内にスナップ嵌合するように構成される。
【００３０】
図２および１１の真皮固定装置２０８はまた、ロック機構２５６を含む。図示する実施形態では、ロック機構２５６は、ばねクリップである。図示する実施形態では、ばねクリップ２５６は、ダブルウイッシュボーン形状の保持ばねクリップである。言い換えれば、これは、三つの連結された、実質的に直線のセグメント２６０を有するアーチ状の第一のアーム２５８、および三つの連結された、実質的に直線のセグメント２６０を有するアーチ状の第二のアーム２６２を含む。第一のアーム２５８および第二のアーム２６２は、真皮固定装置２０８のボディ２１２内でそれらが結合または交わるように配向されるか、さもなければ配置され、実質的に六角形を形成する。ばねクリップ２５６は、調整体２３４のリッジ２５２上にスナップ嵌合するように構成される。
【００３１】
ばねクリップ２５６は、露出部分２６４および非露出部分２６６を含む。図１１に示すように、非露出部分２６６は、真皮固定装置２０８のボディ２１２内にある。非露出部分２６６は、ばねクリップ２５６の第一のアーム２５８および第二のアーム２６２を含む。露出部分２６４は、第一のアーム２５８および第二のアーム２６２の両方に取り付けられたタブ２６８である。タブ２６８は、図２および１１に示すように、真皮固定装置２０８のボディ２１２から延在する。タブ２６８を真皮固定装置２０８のボディ２１２に向かって押すことによって、ばねクリップ２５６が開かれる。言い換えれば、タブ２６８を内側に押すことによって、第一のアーム２５８および第二のアーム２６２は、反対方向に互いから離れるように動き、ばねクリップ２５６を開く。
【００３２】
（タブ２６８を押すことによって）ばねクリップ２５６が開かれる時、調整体２３４のリッジ２５２をその中に挿入し得る。次に、タブ２６８が解放されると、図７に示される通り、調整体２３４のリッジ２５２を掴むかさもなくばそれにスナップ係合して、管状体２０６を真皮固定装置２０８内にロックする。調整体２１２のリッジ２５２を解放するために、タブ２６８が再び押され、それによって、図３に示される通り、ばねクリップ２５６が開かれ、調整体２３４（取り付けられた管状体２０６とともに）が解放される。このように、調整体２３４は、真皮固定装置２０８に連結され、真皮固定装置２０８から分離され得る。これにより、図３に示される通り、ポータルセーバー装置２５４の取り外しが可能になる。言い換えれば、真皮固定装置２０８は、ポータルセーバー装置２５４（その一体化された長さ調整を備えた）が追加される前に挿入および配置され得る。分離はまた、真皮固定装置２０８およびポータルセーバー装置２５４の両方の潜在的に安全な挿入を可能にする。
【００３３】
ここで図１０を参照すると、一実施形態による、拡張位置におけるオブチュレータ２０４の側面概略図が示される。拡張位置では、管状体２０６の平坦なセクション２１０は、真皮固定装置２０８から第一の距離である。拡張位置を達成するために、調整ホイール２４８は第一の方向に回転し、剛直な近位端２３６を露出させることにより、管状体２０６を遠位方向に伸縮させる。これにより、ポータルセーバーアセンブリ２００全体の作業長が増大する。調整ホイール２４８は、処置中随時回転して、ポータルセーバーアセンブリ２００を長くすることができる。
【００３４】
ここで図１１を参照すると、一実施形態による、収縮位置にあるポータルセーバーアセンブリ２０４の側面概略図が示される。収縮位置では、管状体２０６の平坦なセクションは、真皮固定装置２０８から第二の距離である。一実施形態では、第二の距離は、第一の距離よりも短いかまたは小さい。収縮位置を達成するために、調整ホイール２４８は、第一の方向とは反対の第二の方向に回転し、これによって剛直な近位端２３６を真皮固定装置２０８内に導く。調整ホイール２４８を第二の方向に回転させることにより、管状体２０６を近位方向に伸縮させる。これにより、ポータルセーバーアセンブリ２０４全体の作業長が縮小する。調整ホイール２４８は、処置中随時回転して、ポータルセーバーアセンブリ２０４を短くすることができる。
【００３５】
使用時に、真皮固定装置２０８は、その直径が小ささのため、周囲の構造（例えば、大腿骨頭）にリスクを与えず、（例えば、図１のハンドピース２０２を介して）切開部位へと前進する。（真皮固定装置２０８は、ほとんどのカニューレに使用されるものよりも小さい、１２ｍｍの真皮開口径を含む、ほとんどの処置で使用される真皮開口部用に構成され得る。）真皮固定装置２０８は、ペタル２２８が真皮層に入るまでさらに前進する。アクチュエータ２３０はさらに、第一の位置から第二の位置へ移動し、ペタル２２８を配備し、第一の構成から第二の構成へとそれらを移動させる。
【００３６】
真皮層に固定され、真皮固定装置２０８を定位置にある状態で、ポータルセーバー装置２５４は、真皮固定装置２０８に連結され得る。ユーザはタブ２６８を内側に押して、第一のアーム２５８および第二のアーム２６２を、反対方向に互いから離れるように動かし、ばねクリップ２５６を開く。タブ２６８を真皮固定装置２０８のボディ２１２に向かって押す間に、ユーザは、中央穴２１４内にスナップ嵌合するように構成された調整体２３４のリッジ２５２を挿入する。次に、タブ２６８が解放され、ばねクリップ２５６が（リッジ２５２で）調整体２３４の周りおよびその上にロックし、ポータルセーバー装置２５４と真皮固定装置２０８とを連結する。上述のように、真皮固定装置２０８に連結されたポータルセーバー装置２５４によって、処置中に調整体２３４を使用してポータルセーバー装置２５４の長さを調整し得る。ポータルセーバー装置２５４の使用の完了時、ユーザはタブ２６８を真皮固定装置２０８のボディ２１２に向かって内側に押し、ばねクリップ２５６からリッジ２５２を解放し得る。患者の皮膚または真皮にさらなる外傷または瘢痕をもたらすことなく、簡単な除去のために、リッジ２５２が解放された状態で、ユーザは、真皮固定装置２０８から、および元の切開部からポータルセーバー装置２５４を除去し得る。
【００３７】
本明細書で定義され使用されるすべての定義は、辞書の定義、参照により組み込まれる文書内の定義、および／または定義された用語の通常の意味を制御するために理解されるべきである。
【００３８】
本明細書で様々な実施形態が説明され、かつ図示されてきたが、当業者は、本明細書に記載の機能を実施し、かつ／または結果および／または一つまたは複数の利点を得るための様々な他の手段および／または構造を容易に想起するであろうし、またそのような変形および／または変更の各々は、本明細書に記載の実施形態の範囲内であると見なされる。より一般的に、当業者は、本明細書に記載されるすべてのパラメータ、寸法、材料、および構成が、例示的であり、実際のパラメータ、寸法、材料、および／または構成が、教示が使用される一つまたは複数の特定の用途に依存することを容易に理解するであろう。当業者は、本明細書に記載される特定の実施形態に対する多数の同等物を単に通常の実験を用いて認識することになり、または確認することができる。したがって、前述の実施形態は、単に例示的なものとして提示されており、添付した特許請求の範囲およびその等価物の範囲内で、実施形態は、具体的に記載および特許請求された以外の別の方法で、実行されてもよいことが理解されよう。本開示の実施形態は、本明細書に記載される個々の特徴、システム、物品、材料、キット、および／または方法を対象とする。さらに、そのような特徴、システム、物品、材料、キット、および／または方法が相互に矛盾しない場合、二つ以上のそのような特徴、システム、物品、材料、キット、および／または方法の任意の組み合わせが、本開示の範囲内に含まれる。
【００３９】
本明細書で使用される用語は、特定の実施形態を記載する目的のためのみのものであり、本発明を限定することを意図していない。本明細書で使用される場合、単数形「ａ」、「ａｎ」および「ｔｈｅ」は、文脈がそうでないことを明確に示さない限り、複数形も含むことが意図される。用語「備える（ｃｏｍｐｒｉｓｅ）」（ならびに「備える（ｃｏｍｐｒｉｓｅｓ）」および「備える（ｃｏｍｐｒｉｓｉｎｇ）」などのｃｏｍｐｒｉｓｅの任意の形態）、「有する（ｈａｖｅ）」（ならびに「有する（ｈａｓ）」および「有する（ｈａｖｉｎｇ）」などのｈａｖｅの任意の形態）、「含む（ｉｎｃｌｕｄｅ）」（ならびに「含む（ｉｎｃｌｕｄｅｓ）」および「含む（ｉｎｃｌｕｄｉｎｇ）」などのｉｎｃｌｕｄｅの任意の形態）、および「包含する（ｃｏｎｔａｉｎ）」（ならびに「包含する（ｃｏｎｔａｉｎｓ）」および「包含する（ｃｏｎｔａｉｎｉｎｇ）」などのｃｏｎｔａｉｎの任意の形態）は、オープンエンドの連結動詞であることがさらに理解されるであろう。結果として、方法またはデバイスは、一つまたは複数のステップまたは要素を「備える（ｃｏｍｐｒｉｓｅｓ）」、「有する（ｈａｓ）」、「含む（ｉｎｃｌｕｄｅｓ）」、または「包含する（ｃｏｎｔａｉｎｓ）」。同様に、一つまたは複数の特徴を「備える（ｃｏｍｐｒｉｓｅｓ）」、「有する（ｈａｓ）」、「含む（ｉｎｃｌｕｄｅｓ）」または「包含する（ｃｏｎｔａｉｎｓ）」方法のステップ、またはデバイスの要素は、それらの一つまたは複数の特徴を所持するが、それらの一つまたは複数の特徴のみを所持することに限定されない。さらに、特定の方法で構成されるデバイスまたは構造は、少なくともその方法で構成されるが、リストされていない方法でも構成されてもよい。
【００４０】
以下の特許請求の範囲における全ての手段またはステップに機能要素を加えたものの対応する構造、材料、行為および同等物は、もしあれば、具体的に特許請求される他の特許請求の範囲の要素と組み合わせて、機能を実行するための任意の構造、材料、または行為を含むことを意図している。本発明の記載は、例示および記載の目的で提示されてきたが、網羅的であること、または本発明に開示された形態で限定されることを意図しない。多くの修正および変形は、本発明の範囲および趣旨から逸脱することなく、当業者には明らかであろう。実施形態は、本発明の一つまたは複数の態様の原理および実際の応用を最もよく説明し、他の当業者が、考えられる特定の用途に適した様々な修正を有する様々な実施形態について本発明の一つまたは複数の態様を理解できるように選ばれ、かつ記載された。
【図１】
2022502191.tif 000003
【図２】
2022502191.tif 000004
【図３】
2022502191.tif 000005
【図４】
2022502191.tif 000006
【図５】
2022502191.tif 000007
【図６】
2022502191.tif 000008
【図７】
2022502191.tif 000009
【図８】
2022502191.tif 000010
【図９】
2022502191.tif 000011
【図１０】
2022502191.tif 000012
【図１１】
2022502191.tif 000013
【国際調査報告】
2022502191.tif 000014
2022502191.tif 000015
2022502191.tif 000016
2022502191.tif 000017